(57)【要約】  【課題】  柱を土台を介して基礎コンクリートに直接的に、かつ、簡単に取付けられる、柱の固定装置を提供する。  【解決手段】  基板７に螺杆９を立設して構成した固定基材１の基板７をアンカーボルト８とこれに螺合したナット１８によって基礎コンクリート６に締付ける。また、基板７を介して前記基礎コンクリート６上に載置した土台４を、該土台４に嵌挿した前記螺杆９の上端に接合材２の接合板１２を介して締付け筒を螺合して前記基礎コンクリート６に締付ける。なおまた、前記接合板１２上に立設して前記接合材２を構成する接合杆１３と該接合杆１３を嵌挿した柱５を係止杆２４によって互いに固定する。【選択図】    図１
2005133311.tif 000002
【特許請求の範囲】
【請求項１】
基板に螺杆を立設して構成した固定基材の基板をアンカーボルトとこれに螺合したナットによって基礎コンクリートに締付け、該基板を介して前記基礎コンクリート上に載置した土台を、該土台に嵌挿した前記螺杆の上端に接合材の接合板を介して締付け筒を螺合して前記基礎コンクリートに締付けると共に、前記接合板上に立設して前記接合材を構成する接合杆と該接合杆を嵌挿した柱を係止杆によって互いに固定した、木造建物における柱の固定装置。
【発明の詳細な説明】
【技術分野】
【０００１】
本発明は、基礎コンクリート上に横設した土台上に立設する、木造建物における柱の固定装置に関するものである。
【背景技術】
【０００２】
基礎コンクリートに基盤を介して土台を重ね合わせ、これらを前記基礎コンクリートにアンカー部を埋設した一対のアンカーボルトと該アンカーボルトに螺合したナット材によって前記基礎コンクリートに締付け固定し、前記土台を通じて突出させた、前記基盤に立設したほぞ棒を、前記土台上に立設した柱に嵌挿し、該柱とほぞ棒をドリフトピンで互いに止着した構造のものがある（例えば、特許文献１）。
【０００３】
【特許文献１】特開２００２−２９４８８２号公報
【発明の開示】
【発明が解決しようとする課題】
【０００４】
前記従来例は、いわば土台側にほぞ棒を設け、該ほぞと柱を係止杆（ドリフトピン）で止着した点において柱側にほぞを設けた所謂ほぞ接合で大きく相違するものであるが、前記ほぞ棒を立設した基盤を土台側に固定するには、土台と該基盤をアンカーボルトとこれに螺合したナットによって同時に基礎コンクリートに締付けなければならず、土台上に複数本の柱を土台に立設するに際しては、土台毎に存する各基盤を同時に位置合わせをする必要があるので、該組合わせ作業が煩雑である。
【課題を解決するための手段】
【０００５】
基板に螺杆を立設して構成した固定基材の基板をアンカーボルトとこれに螺合したナットによって基礎コンクリートに締付け、該基板を介して前記基礎コンクリート上に載置した土台を、該土台に嵌挿した前記螺杆の上端に接合材の接合板を介して締付け筒を螺合して前記基礎コンクリートに締付けると共に、前記接合板上に立設して前記接合材を構成する接合杆と該接合杆を嵌挿した柱を係止杆によって互いに固定した構成としたものである。
【発明の効果】
【０００６】
本発明によれば、柱を基礎コンクリートに土台を介して直接的に固定でき、ボルトによる縦方向の土台固定のため土台欠損が小さく、他の加工を併設（在来仕口のアリ等）でき、耐加力（引抜き力）性の有る、堅牢な柱の固定状態を得られ、しかも、組付け作業が簡単で斬新な構造の、木造建物における柱の固定装置を提供できる。
【実施例】
【０００７】
図面は本発明に係る木造建物における柱の固定装置の一実施例を示し、図１は縦断面図、図２は柱を省略して示した横断面図、図３は実施例装置に用いる金具の斜視図である。
【０００８】
実施例装置は、固定基材１、接合材２および締付け筒（ナット）３を土台４や柱５と組合わせ、柱５を前記土台４および固定基材１を介して基礎コンクリート６に固定するようにしたものである。
【０００９】
固定基材１は、平面視方形状の基盤７の中央に前記基礎コンクリート６にアンカー部を埋設したアンカーボルト８の貫通用の窓孔１１を備え、上面には該窓孔１１を介して並ぶ一対の螺杆９，９を立設して構成し、窓孔１１は上部側の一半部を大径と成して座金１０の受止段部１１ａを備え、また、前記螺杆９を前記土台４の高さ（縦）幅とほぼ一致する長さにしたものである。
【００１０】
接合材２は、固定基材１の前記基板７とほぼ一致する平面視方形状の接合板１２の中央に円筒状の接合杆１３を立設して構成し、接合板１２には前記接合杆１３を介するようにして並ぶ一対二組の透孔１４，１４、１４，１４を組同士は直交方向に配するようにして設け、一組の一対の透孔１４，１４間の離開幅は前記一対の螺杆９，９間の離開幅と同幅と成し、また、接合杆１３には互いに直交方向にして上下一対の通孔１５，１５を各組の一対の透孔１４，１４の並設方向と同方向にして設けたものである。
【００１１】
締付け筒３は前記螺杆９の上端側に設けた雄ねじ部９ａと一致する雌ねじ部１６ａを備えた筒状主体１６の上端に鍔部片１７を設けて構成したものである。
【００１２】
なお、鍔部片１７には工具係止用の係止孔１７ａを設けてある。
【００１３】
しかして、実施例装置は、基礎コンクリート６の上面より突出するアンカーボルト８の先端（上端）を窓孔１１に貫通させるようにして固定基材１の基板７を前記基礎コンクリート６上に載置し、窓孔１１より突出するアンカーボルト８の先端に座金１０を介してナット１８を螺合締付けて、基礎コンクリート６上に固定基材１を締付け固定し、該固定基材１を利用して柱５を土台４延いては基礎コンクリート６に固定したものである。
【００１４】
土台４は、基礎コンクリート６に固定基枠１の基板７を締付ける前記アンカーボルト８の上端部およびこれに螺合したナット１８を係合する係合部１９を下面に備え、また、該係合部１９の両側に、固定基枠１の前記螺杆９，９間の離開間隙と同幅の間隙を存するようにして一対の縦孔２０，２０を設け、縦孔２０，２０に基礎コンクリート６に締付けた固定基材１の螺杆９を嵌挿するようにして基板７を介して基礎コンクリート６上に載置したものである。
【００１５】
なお、土台４は、図示以外の適所においてアンカー部を基礎コンクリート６に埋入させた他のアンカーボルトを貫通させ、当該土台４部分において突出する該アンカーボルトの先端にナットを螺合、締付けて基礎コンクリート６に締付けてあり、また、土台４と基礎コンクリート６間の適所には固定基材１の基板７と同じ高さ幅（厚さ）のスペーサ（公知の基礎パッキング）を介在させ、該スペーサ同士間又は該スペーサと基板７間に所謂床下換気口の使用を省略できる床下換気用の換気間隙ａを形成してあり、前記基板７は前記スペーサの機能を発揮させることができる。
【００１６】
この土台４の上面に前記螺杆９，９位置に適宜選択した一組一対の前記透孔１４，１４が存するようにして接合板１２を載置し、該接合板１２の前記透孔１４を通じて締付け筒３の筒状主体１６を縦孔２０の上端部側の大径部２０ａに係合しつつ、螺杆９のねじ部９ａに螺合して締付けて前記接合材２を前記土台４上に固定し、接合材２の接合杆１３を土台４に立設状態におき、この接合杆１３を下端面に設けた嵌挿穴２２に嵌挿するようにして前記柱５を立設状態に配して土台４と組合わせ、接合杆１３に設けた前記通孔１５と該通孔１５に一致する位置にして柱５側に横設した接合孔２３に、接合孔２３側から固定杆２４を嵌挿して接合杆１３と柱５を互いに固定して実施例装置とするのである。
【図面の簡単な説明】
【００１７】
【図１】縦断面図。
【図２】柱を省略して示した横断面図。
【図３】実施例装置に用いる金具の斜視図。
【符号の説明】
【００１８】
１      固定基材
２      接合材
４      土台
５      柱
６      基礎コンクリート
７      基板
８      アンカーボルト
９      螺杆
１２    接合板
１３    接合杆
２４    係止杆
【図１】
2005133311.tif 000003
【図２】
2005133311.tif 000004
【図３】
2005133311.tif 000005